(57)【特許請求の範囲】
【請求項１】
移動機と基地局との間で、下りリンクにおいて下りパケット高速伝送方式を適用しており、上りリンクにおいて上りリンク高効率伝送方式を適用している移動通信システムであって、
前記下りパケット高速伝送方式におけるサービス提供セルの変更条件が満たされる場合、サービング提供セルの変更を要求するセルチェンジ信号によって、同一の移動局に対する前記下りパケット高速伝送方式におけるサービス提供セルと前記上りリンク高効率伝送方式におけるサービス提供セルとが同一のセルとなるように変更することを特徴とする移動通信システム。
【請求項２】
前記下りパケット高速伝送方式におけるサービス提供セルを変更する際に、変更後のサービス提供セルにおいて前記上りリンク高効率伝送方式が適用されない場合に、前記変更後のセルの上りリンクにおいて個別物理チャネルを用いることを特徴とする請求項１に記載の移動通信システム。
【請求項３】
各移動機は、前記下りパケット高速伝送方式におけるサービス提供セルの変更条件が満たされるか否かについて、該移動機における信号受信レベルに基づいて判断するように構成されていることを特徴とする請求項１に記載の移動通信システム。
【請求項４】
基地局との間で、下りリンクにおいて下りパケット高速伝送方式を適用しており、上りリンクにおいて上りリンク高効率伝送方式を適用している移動機であって、
前記下りパケット高速伝送方式におけるサービス提供セルの変更条件が満たされる場合、サービング提供セルの変更を要求するセルチェンジ信号を制御装置に対して送信することによって、前記下りパケット高速伝送方式におけるサービス提供セルと前記上りリンク高効率伝送方式におけるサービス提供セルとが同一のセルとなるように変更することを要求することを特徴とする移動機。
【請求項５】
前記下りパケット高速伝送方式におけるサービス提供セルの変更条件が満たされるか否かについて、前記移動機における信号受信レベルに基づいて判断するように構成されていることを特徴とする請求項４に記載の移動機。
【請求項６】
移動機と基地局との間で、下りリンクにおいて下りパケット高速伝送方式を適用しており、上りリンクにおいて上りリンク高効率伝送方式を適用している移動通信システムおける制御装置であって、
前記下りパケット高速伝送方式におけるサービス提供セルの変更条件が満たされて、サービング提供セルの変更を要求するセルチェンジ信号を前記移動局から受信した場合、該移動局に対する前記下りパケット高速伝送方式におけるサービス提供セルと前記上りリンク高効率伝送方式におけるサービス提供セルとが同一のセルとなるように変更することを特徴とする制御装置。
【発明の詳細な説明】
【技術分野】
【０００１】  本発明は、下りリンク（ＤＬ：ＤｏｗｎＬｉｎｋ）と上りリンク（ＵＬ：ＵｐＬｉｎｋ）の両方向においてスケジューラを適用して、セクタセル構成により無線通信を行う移動通信システムの制御手順を簡潔にする技術に属する。【０００２】  特に、本発明は、第３世代の移動通信システムであるＷ−ＣＤＭＡシステムやＣＤＭＡ２０００システムに適応できる技術である。
【背景技術】
【０００３】  従来、移動通信システムにおいては、図１（ａ）に示すように、複数の基地局をセル状に配置することによりサービスエリアを全面的にカバーするセルラシステムが適用されている。【０００４】  さらに、従来の移動通信システムにおいては、１セルを複数のセクタに分割し、セクタ毎に基地局アンテナを設置してサービスエリアを構成するセクタセル構成が用いられる。【０００５】  一般的に、従来の移動通信サービスでは、３セクタセル構成（図１（ｂ）参照）或いは６セクタセル構成（図１（ｃ）参照）が適用されている。【０００６】  現在、国際標準化団体「３ＧＰＰ」が仕様化を進めている第３世代の移動通信システムである「Ｗ−ＣＤＭＡ」にて、ＨＳＤＰＡ（Ｈｉｇｈ  Ｓｐｅｅｄ  Ｄｏｗｎｌｉｎｋ  Ｐａｃｋｅｔ  Ａｃｃｅｓｓ：下りパケット高速伝送）方式の仕様は、ほぼ完成している。【０００７】  ＨＳＤＰＡでは、図２（ａ）に示すように、上りリンクの物理制御チャネルであるＨＳ−ＤＰＣＣＨ（Ｈｉｇｈ  Ｓｐｅｅｄ  Ｄｅｄｉｃａｔｅｄ  Ｃｏｎｔｒｏｌ  Ｃｈａｎｎｅｌ）にて、移動機が、各々の下りリンクの無線品質情報（ＣＱＩ：Ｃｈａｎｎｅｌ  Ｑｕａｌｉｔｙ  Ｉｎｄｉｃａｔｏｒ）を基地局に送信するように構成されている。【０００８】  そして、図２（ａ）に示すように、基地局は、セル／セクタ内の全移動機からのＣＱＩを考慮して、２ｍｓ毎に、下りリンクデータを送信する移動機とそのデータサイズをスケジュールし、ＨＳＤＰＡの下りリンクの物理データチャネルであるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）にて、下りリンクデータを送信するように構成されている。【０００９】  ＨＳＤＰＡにおいて、移動機は、同時に１セル／セクタのみからスケジュールされる。このように、移動機に対してサービスを提供するセル／セクタを「ＨＳＤＰＡサービングセル（ｓｅｒｖｉｎｇ  ｃｅｌｌ）」と呼ぶ。【００１０】  ＨＳＤＰＡサービングセルは、移動機における信号受信レベルが最も高いセル／セクタが努める。【００１１】  図２（ｂ）に示すように、移動機は、移動に伴い、他セル／セクタからの信号受信レベルの方がより強くなった場合は、その旨をネットワーク（基地局及び制御装置）に通知し、その結果、ＨＳＤＰＡサービングセルが切り替わる。このような動作を「ＨＳＤＰＡセルチェンジ（ｃｅｌｌ  ｃｈａｎｇｅ）」と呼ぶ。【００１２】  図２（ａ）の例では、基地局は、ＨＳ−ＰＤＳＣＨが実線で記されている移動機２に対してのみ、下りリンクデータを送信しており、ＨＳ−ＰＤＳＣＨが点線で記されている移動機１及び３は、基地局によってスケジュールされるのを待っている状態である。【００１３】  また、国際標準化団体「３ＧＰＰ」が仕様化を進めている第３世代の移動通信システムである「Ｗ−ＣＤＭＡ」にて、現在、ＥＵＬ（Ｅｎｈａｎｃｅｄ  ＵＬ：上り高効率伝送）方式の仕様化が進められている。【００１４】  ＥＵＬでは、図３（ａ）に示すように、移動機は、各々が要求する送信レート（ＲＲ：Ｒａｔｅ  Ｒｅｑｕｅｓｔ）、又は、送信バッファやパワー状況等の情報（ＳＩ：Ｓｃｈｅｄｕｌｉｎｇ  Ｉｎｆｏｒｍａｔｉｏｎ）を基地��に送信するように構成されている。【００１５】  また、図３（ａ）に示すように、基地局は、セル／セクタ内の全移動機からのＲＲ／ＳＩを考慮して、２ｍｓ又は１０ｍｓ毎に、上りリンクデータの送信を許可する移動機とその送信レートをＲＧ（Ｒａｔｅ  Ｇｒａｎｔ）／ＳＡ（Ｓｃｈｅｄｕｌｉｎｇ  Ａｓｓｉｇｎｍｅｎｔ）としてスケジュールするように構成されている。【００１６】  そして、図３（ａ）に示すように、移動機は、基地局からのＲＧ／ＳＡに応じて、Ｅ−ＤＣＨ（Ｅｎｈａｎｃｅｄ  Ｄｅｄｉｃａｔｅｄ  Ｃｈａｎｎｅｌ）にて、上りリンクデータを送信するように構成されている。【００１７】  ＥＵＬにおいて、移動機が同時にスケジューリングを受けるセル／セクタの数が、１セル／セクタのみとなるのか、又は、複数のセル／セクタになるかについては、現時点で決まっていない。【００１８】  なお、ＥＵＬにおけるかかるセル／セクタ（すなわち、移動機に対してサービス提供するセル／セクタ）を、「ＥＵＬサービングセル（ｓｅｒｖｉｎｇ  ｃｅｌｌ（ｓ））」と呼ぶ。【００１９】  現時点において、どのセル／セクタが「ＥＵＬサービングセル」となるべきなのかについては、決まっていないが、次の二つの候補が考えられる。【００２０】  １つ目は、移動機によって送信された信号の受信レベルが一番高いセル／セクタである。２つ目は、ＨＳＤＰＡの場合と同様に、移動機での信号受信レベルが最も高いセル／セクタである。【００２１】  どちらにしろ、ＨＳＤＰＡの場合と同様に、移動機の移動に伴い、「セルチェンジ（ＥＵＬセルチェンジ）」は起こる。図３（ｂ）において、点線にて示しているセルは、複数のＥＵＬサービングセルを用いた場合の例を表している。【００２２】  上りリンクにてＥＵＬ方式を適用し、下りリンクにてＨＳＤＰＡ方式を適用する場合、セルチェンジの方法としては、上りリンクと下りリンクとで独立に行うことが考えられる。【００２３】  そうすることにより、セル／セクタ間における上りリンク品質の逆転が、下りリンク品質の逆転と異なるタイミング起こる場合でも、ＥＵＬ方式とＨＳＤＰＡ方式の両方とも最適なタイミングでセルチェンジを行うことができる。【００２４】  しかしながら、一般に、上りリンクと下りリンクとで、セル／セクタ間での品質が逆転するタイミングが近いことから、ＥＵＬ方式とＨＳＤＰＡ方式のセルチェンジを個別に制御するメリットは殆どない。【００２５】  逆に、ＥＵＬ方式とＨＳＤＰＡ方式のセルチェンジを個別に行うことによって、以下の問題点が発生することが考えられる。【００２６】  第１の問題点として、ＥＵＬ方式又はＨＳＤＰＡ方式のいずれかのセルチェンジのみを制御する場合と比べて、２倍の制御手順が必要になり、２倍の制御信号が送信されるという点が挙げられる。【００２７】  すなわち、セルチェンジを行うに当たって、ＥＵＬ方式のセルチェンジとなるトリガと、ＨＳＤＰＡ方式のセルチェンジとなるトリガの両方をモニタリングする必要があり、移動機及び基地局／制御装置の処理負荷の増大につながる。【００２８】  そして、それぞれのトリガが発生した際に、移動機と基地局／制御装置との間で行われる制御信号の送受信を、ＥＵＬ方式とＨＳＤＰＡ方式のセルチェンジにおいて個別に行う必要があり、無線容量の圧迫につながる。【００２９】  第２の問題点として、ＥＵＬ方式の物理制御信号をＨＳ−ＤＰＣＣＨ上に時間多重できないという点が挙げられる。【００３０】  すなわち、ＨＳＤＰＡ方式のセルチェンジを、ＥＵＬ方式のセルチェンジと別個に行ってしまうと、移動機が、上りリンクにおいてＥＵＬ方式を適用したまま、ＨＳＤＰＡ方式をＥＵＬ方式が実装されていない基地局のセル／セクタに対してセルチェンジしてしまう可能性がある。【００３１】  この時、上りリンクコード及び無線リソースの節約や移動機におけるＰＡＲ（Ｐｅａｋ−ｔｏ−Ａｖｅｒａｇｅ  Ｒａｔｉｏ）の低減を狙って、ＥＵＬ方式の物理制御信号をＨＳ−ＤＰＣＣＨ上に時間多重していると、ＨＳＤＰＡ方式のみをサポートしている基地局では、ＨＳ−ＤＰＣＣＨにて送信されているＥＵＬ方式の物理制御信号をＨＳＤＰＡ方式の物理制御信号と認識してしまうので、ＨＳＤＰＡ方式の品質が劣化してしまう。
【発明の開示】
【００３２】  そこで、本発明は、以上の点に鑑みてなされたもので、ＥＵＬ方式のセルチェンジ手順とＨＳＤＰＡ方式のセルチェンジ手順とをセットで行うことにより、セルチェンジの際の制御手順負荷及び信号量の増大を防ぎ、また、ＨＳ−ＤＰＣＣＨ上にＥＵＬ方式の物理制御信号の時間多重を可能にする移動通信システム、移動機及び制御装置を提供することを目的とする。
【００３３】  本発明の第１の特徴は、移動機と基地局との間で、下りリンクにおいて下りパケット高速伝送方式（ＨＳＤＰＡ方式）を適用しており、上りリンクにおいて上りリンク高効率伝送方式（ＥＵＬ方式）を適用している移動通信システムであって、同一の移動機に対する前記下りパケット高速伝送方式におけるサービス提供セルと前記上りリンク高効率伝送方式におけるサービスを提供するセルとが同一のセルとなるように変更することを要旨とする。
【００３４】  本発明の第１の特徴において、前記下りパケット高速伝送方式におけるサービス提供セルの変更条件が満たされる場合、同一の移動局に対する前記下りパケット高速伝送方式におけるサービス提供セルと前記上りリンク高効率伝送方式におけるサービス提供セルとが同一のセルとなるように変更してもよい。
【００３５】  本発明の第１の特徴において、各移動機は、前記下りパケット高速伝送方式におけるサービス提供セルの変更条件が満たされるか否かについて、該移動機における信号受信レベルに基づいて判断するように構成されていてもよい。
【００３６】  本発明の第２の特徴は、基地局との間で、下りリンクにおいて下りパケット高速伝送方式（ＨＳＤＰＡ方式）を適用しており、上りリンクにおいて上りリンク高効率伝送方式（ＥＵＬ方式）を適用している移動機であって、前記下りパケット高速伝送方式におけるサービス提供セルの変更条件が満たされる場合、制御装置に対して、前記下りパケット高速伝送方式におけるサービス提供セルと前記上りリンク高効率伝送方式におけるサービスを提供するセルとが同一のセルとなるように変更することを要求する信号を送信することを要旨とする。
【００３７】  本発明の第２の特徴において、前記移動機は、前記下りパケット高速伝送方式におけるサービス提供セルの変更条件が満たされるか否かについて、前記移動機における信号受信レベルに基づいて判断するように構成されていてもよい。
【００３８】  本発明の第３の特徴は、移動機と基地局との間で、下りリンクにおいて下りパケット高速伝送方式（ＨＳＤＰＡ方式）を適用しており、上りリンクにおいて上りリンク高効率伝送方式（ＥＵＬ方式）を適用している移動通信システムおける制御装置であって、前記移動機から送信された前記下りパケット高速伝送方式及び前記上りリンク高効率伝送方式におけるサービス提供セルの変更要求信号を受信した場合、前記下りパケット高速伝送方式におけるサービス提供セルと前記上りリンク高効率伝送方式におけるサービスを提供するセルとが同一のセルとなるように変更することを要旨とする。
【図面の簡単な説明】
【００３９】
【図１】図１（ａ）乃至図１（ｃ）は、セクタセル構成を示す図である。
【図２】図２（ａ）及び図２（ｂ）は、ＨＳＤＰＡ方式を説明するための図である。
【図３】図３（ａ）及び図３（ｂ）は、ＥＵＬ方式を説明するための図である。
【図４】図４（ａ）及び図４（ｂ）は、ＨＳＤＰＡ方式におけるセルチェンジ手順を説明するための図である。
【図５】図５（ａ）及び図５（ｂ）は、ＥＵＬ方式におけるセルチェンジ手順を説明するための図である。
【図６】図６（ａ）及び図６（ｂ）は、本発明の第１の実施形態に係る移動通信システムにおけるセルチェンジ手順を説明するための図である。
【図７】図７は、ＨＳ−ＤＰＣＣＨのスロットフォーマットを示す図である。
【図８】図８は、本発明の第２の実施形態に係る移動通信システムにおいて、ＥＵＬ方式に従う上りリンクの物理制御信号をＨＳ−ＤＰＣＣＨ上に多重する方法を説明するための図である。
【図９】図９は、ＨＳＤＰＡ方式におけるセルチェンジ手順とＥＵＬ方式におけるセルチェンジ手順とが対となっていない様子を示す図である。
【図１０】図１０は、本発明の第２の実施形態において、ＨＳＤＰＡ方式におけるセルチェンジ手順とＥＵＬ方式におけるセルチェンジ手順とが対となっている様子を示す図である。
【発明を実施するための最良の形態】
【００４０】（本発明の第１の実施形態）
図４乃至図６を参照して、本発明の第１の実施形態に係る移動通信システムについて説明する。図４乃至図６は、ＨＳＤＰＡ方式のサービングセルとＥＵＬ方式のサービングセルとを対としてセルチェンジ手順を行うことにより、セルチェンジ手順の際の制御手順負荷及び制御信号量を軽減できる様子を示す。【００４１】  図４に、ＨＳＤＰＡ方式のセルチェンジ手順を示す。【００４２】  図４（ａ）に示すように、移動機は、受信部１１と、周辺セル／セクタ受信ＣＰＩＣＨ測定部１２と、サービングセル／セクタ受信ＣＰＩＣＨ測定部１３と、サービングセル／セクタ・周辺セルセクタ受信ＣＰＩＣＨ比較部１４と、セルチェンジ通知信号生成部１５と、送信部１６とを具備している。【００４３】  受信部１１は、常にサービングセル／セクタ（以下、サービングセル）及び周辺セル／セクタからのＣＰＩＣＨ（Ｃｏｍｍｏｎ  Ｐｉｌｏｔ  Ｃｈａｎｎｅｌ）を受信するように構成されている。【００４４】  周辺セル／セクタ受信ＣＰＩＣＨ測定部１２は、周辺セル／セクタからのＣＰＩＣＨの受信電力を測定するように構成されている。サービングセル／セクタ受信ＣＰＩＣＨ測定部１３は、サービングセルからのＣＰＩＣＨの受信電力を測定するように構成されている。【００４５】  サービングセル／セクタ・周辺セルセクタ受信ＣＰＩＣＨ比較部１４は、周辺セル／セクタからのＣＰＩＣＨの受信電力とサービングセルからのＣＰＩＣＨの受信電力とを比較するように構成されている。【００４６】  そして、サービングセルからのＣＰＩＣＨの受信電力より、周辺セクタ／セルからのＣＰＩＣＨの受信電力の方が、安定してレベルが高い場合、セルチェンジ通知信号生成部１５は、制御装置にセルチェンジを促すためのセルチェンジ通知信号を生成して、送信部１６は、基地局を通じて制御装置にセルチェンジ通知信号を送信する（図４（ｂ）におけるステップ１）。【００４７】  図４（ｂ）に示すように、制御装置は、かかるセルチェンジ通知信号を受け取ると、セルチェンジ元の基地局とセルチェンジ先の基地局に対して、セルチェンジ通知信号によって、セルチェンジタイミング（ｃｅｌｌ  ｃｈａｎｇｅ  ｔｉｍｉｎｇ）を通知する（図４（ｂ）におけるステップ２及び３）。【００４８】  また、制御装置は、別の信号にて、基地局を通じて移動機にも同じセルチェンジタイミングを通知する（図４（ｂ）におけるステップ４）。【００４９】  移動機及び基地局は、このように通知されたセルチェンジタイミングにより、一斉にセルチェンジを行うように構成されている。【００５０】  図５は、ＥＵＬ方式において、ＨＳＤＰＡ方式とは別に、上りリンク品質により、セルチェンジを行う場合の手順を示す。【００５１】  上りリンク品質により、セルチェンジを行う場合、基地局は、他セルにおける受信品質が分からないので、制御装置が、複数のセルにおける上りリンク品質を管理する必要がある。したがって、制御装置において、かかる機能（図５（ａ）における２２乃至２４の部分）の新規追加が必要となる。【００５２】  具体的には、図５（ａ）に示すように、かかる制御装置は、受信部２１と、周辺セル／セクタ受信品質モニタ部２２と、サービングセル／セクタ受信品質モニタ部２３と���サービングセル／セクタ・周辺セルセクタ受信品質比較部２４と、セルチェンジ通知信号生成部２５と、送信部２６とを具備している。【００５３】  サービングセル／セクタ・周辺セル／セクタ受信品質比較部２４が、サービングセルの上りリンク品質（受信品質）より、周辺セル／セクタの上りリンク品質（受信品質）の方が、安定してよいと測定した場合、セルチェンジ通知信号生成部２５は、基地局に対してセルチェンジを通知するためのセルチェンジ通知信号を生成するように構成されている。【００５４】  そして、図５（ｂ）に示すように、制御装置の送信部２６は、セルチェンジ元の基地局及びセルチェンジ先の基地局に対して、セルチェンジ通知信号によってセルチェンジタイミングを通知する（図５（ｂ）におけるステップ１及び２）と共に、別の信号を用いて基地局経由で移動機に対しても同じセルチェンジタイミングを通知する結果、制御信号量の増大につながる。【００５５】  ＨＳＤＰＡ方式及びＥＵＬ方式のセルチェンジを別個に行うと、図４及び図５に示す手順を全て行う必要があるので、制御手順負荷及び信号量の増大につながる。【００５６】  これを軽減するために、本実施形態に係る移動通信システムは、ＥＵＬ方式のセルチェンジ手順を、ＨＳＤＰＡ方式のセルチェンジ手順と同じ時に行うように構成されている。【００５７】  図６に、本実施形態に係るセルチェンジ手順を示す。【００５８】  図６（ａ）に示すように、ＥＵＬ方式のセルチェンジトリガ（ｃｅｌｌ  ｃｈａｎｇｅ  ｔｒｉｇｇｅｒ）を、ＨＳＤＰＡ方式のセルチェンジトリガと同一としているため、セルチェンジのモニタリングは、移動機のみで行われればよく、ＥＵＬ方式のセルチェンジのために、制御装置において、図５（ａ）に示す新規機能（図５（ａ）における２２乃至２４の部分）を追加する必要がなくなっている。【００５９】  図６（ｂ）において、ＥＵＬ方式のセルチェンジを、ＨＳＤＰＡ方式のセルチェンジと同じタイミングで行っているので、ＥＵＬ方式のセルチェンジのために、図５（ｂ）に示す新規制御信号を追加する必要がなくなっている。【００６０】  すなわち、本実施形態に係る移動機は、基地局との間で、下りリンクにおいて下りパケット高速伝送方式（ＨＳＤＰＡ方式）を適用しており、上りリンクにおいて上りリンク高効率伝送方式（ＥＵＬ方式）を適用している。【００６１】  かかる移動機のセルチェンジ通知信号生成部１５は、ＨＳＤＰＡ方式におけるサービングセル（サービス提供セル）の変更条件が満たされる場合（すなわち、ＨＳＤＰＡ方式のセルチェンジトリガが発生した場合）、制御装置に対して、ＨＳＤＰＡ方式におけるサービングセルとＥＵＬ方式におけるサービングセルとが同一のセルとなるように変更すること（セルチェンジ）を要求する信号（セルチェンジ通知信号）を送信する。【００６２】  なお、移動機のサービングセル／セクタ・周辺セル／セクタ受信ＣＰＩＣＨ比較部１４は、ＨＳＤＰＡ方式におけるサービス提供セルの変更条件が満たされるか否かについて、該移動機における信号受信レベルに基づいて判断するように構成されている。【００６３】  具体的には、サービングセル／セクタ・周辺セル／セクタ受信ＣＰＩＣＨ比較部１４��、移動機における信号受信レベルとして、周辺セル／セクタ受信ＣＰＩＣＨ測定部１２及びサービングセル／セクタ受信ＣＰＩＣＨ測定部１３によって測定された「Ｐａｔｈｌｏｓｓ（距離減衰）」や「ＣＰＩＣＨ  Ｅｃ／Ｎｏ」や「ＣＰＩＣＨ  ＲＳＣＰ」等を用いる。【００６４】  ここで、「Ｐａｔｈｌｏｓｓ」は、ＣＰＩＣＨの送信電力からＣＰＩＣＨの受信電力を引いた値である。なお、ＣＰＩＣＨの送信電力は、報知チャネルによって送信される。【００６５】  また、「ＣＰＩＣＨ  Ｅｃ／Ｎｏ」は、ＣＰＩＣＨの受信電力を総受信電力で割った値であり、「ＣＰＩＣＨ  ＲＳＣＰ」は、ＣＰＩＣＨの受信電力の値である。【００６６】  以上に示すように、本実施形態によれば、ＥＵＬ方式のセルチェンジを、ＨＳＤＰＡ方式のセルチェンジと合わせて行うため、ＥＵＬ方式のセルチェンジを行うに当たって、制御手順負荷と信号量の増大を防ぐことが可能となる。【００６７】（本発明の第２の実施形態）
図７乃至１０を用いて、ＨＳＤＰＡ方式のサービングセルとＥＵＬ方式のサービングセルとを対として、セルチェンジを行うことにより、ＨＳ−ＤＰＣＣＨ上に、ＥＵＬ方式の物理制御信号の時間多重を行う様子を示す。【００６８】  図７に、通常のＨＳ−ＤＰＣＣＨのスロットフォーマットを示す。図７に示すように、ＨＳ−ＤＰＣＣＨでは、３スロットの２ｍｓサブフレームが繰り返し送信される。ＨＳ−ＤＰＣＣＨのサブフレームは、１スロットのＨＡＲＱ−Ａｃｋと、２スロットのＣＱＩ部分とによって構成される。【００６９】  ＥＵＬ方式の導入に伴い、ＥＵＬ方式に従う上りリンクの物理制御信号の多重方法について、現在、３ＧＰＰにおいて議論されている。【００７０】  多重案としては、図８に示すように、ＥＵＬ方式に従う上りリンクの物理制御信号（ＥＵＬ  ＵＬ物理制御信号）を、（例えば、ＣＱＩ用スロットの送信を停止して）ＨＳ−ＤＰＣＣＨ上に時間多重して送信する案が考えられる。【００７１】  この多重方法を適用した際、基地局において、ＨＳ−ＤＰＣＣＨ上の信号がＥＵＬ方式に従う上りリンクの物理制御信号なのか、又は、ＣＱＩなのかについて識別する必要がある。【００７２】  ＨＳＤＰＡ方式とＥＵＬ方式の両方が実装される３ＧＰＰ準拠のＲｅｌｅａｓｅ−６基地局では、何らかの識別機能を実装できるため問題はない。【００７３】  しかし、既に開発されてしまっているＨＳＤＰＡ方式のみ実装している３ＧＰＰ準拠のＲｅｌｅａｓｅ−５基地局では、ＨＳ−ＤＰＣＣＨ上にＥＵＬ方式に従う上りリンクの物理制御信号が送信されることは考えていないので、識別機能は実装されていない。【００７４】  そのため、ＥＵＬ方式に従う上りリンクの物理制御信号を、ＨＳ−ＤＰＣＣＨ上に多重した場合、Ｒｅｌｅａｓｅ−５基地局は、そのことを識別できずに、ＣＱＩが送信されていると判断してしまい、ＨＳＤＰＡ方式における品質が劣化してしまう。【００７５】  この状態は、図９に示すように、ＨＳＤＰＡ方式のセルチェンジとＥＵＬ方式のセルチェンジとが別個に行われる場合に起こり得る。【００７６】  図９において、移動機は、始めＲｅｌｅａｓｅ−６基地局とＨＳＤＰＡ方式及びＥＵＬ方式を適用して通信を行っているが、隣にあるＲｅｌｅａｓｅ−５基地局のセルに移動したときに、ＨＳＤＰＡ方式のセルチェンジトリガのみが発生したため、Ｒｅｌｅａｓｅ−５基地局の方へＨＳＤＰＡ方式のセルチェンジを行う。【００７７】  しかし、この時、移動機は、上りリンクでは、未だＲｅｌｅａｓｅ−６基地局とＥＵＬ方式にて通信を行っているため、ＨＳ−ＤＰＣＣＨ上にＥＵＬ方式に従う上りリンクの物理制御信号を送信してしまう。【００７８】  一方、Ｒｅｌｅａｓｅ−５基地局は、ＥＵＬ方式に従う上りリンクの物理制御信号をＨＳ−ＤＰＣＣＨ上に送信されてもＣＱＩだと思ってしまい、ＨＳＤＰＡ方式の品質が劣化してしまう。【００７９】  そのため、ＥＵＬ方式に従う上りリンクの物理制御信号をＨＳ−ＤＰＣＣＨ上に時間多重することができず、上りリンクのコード及び無線リソースを節約し、また、移動機におけるＰＡＲを低減することができない。【００８０】  図９に示す状況は、ＥＵＬ方式のセルチェンジをＨＳＤＰＡ方式の��ルチェンジと対にさせることにより回避できる。この様子を図１０に示す。【００８１】  図１０において、移動機は、始めＲｅｌｅａｓｅ−６基地局との間で、ＨＳＤＰＡ方式及びＥＵＬ方式にて通信を行っている。【００８２】  そして、移動機が、Ｒｅｌｅａｓｅ−５基地局へと移動するに当たって、ＨＳＤＰＡ方式のセルチェンジトリガが発生し、ＨＳＤＰＡ方式は、Ｒｅｌｅａｓｅ−５基地局の方へとセルチェンジする。【００８３】  この際、ＥＵＬ方式もＨＳＤＰＡ方式と対としてセルチェンジを行った場合、上りリンクも、Ｒｅｌｅａｓｅ−５基地局へと切り替えられる。【００８４】  しかし、この際は、Ｒｅｌｅａｓｅ−５基地局がＥＵＬ方式を扱っていないので、上りリンクは、Ｒｅｌｅａｓｅ−９９のＤＣＨにて通信することになる。【００８５】  そして、上りリンクは、Ｒｅｌｅａｓｅ−９９のＤＣＨにて送信されるため、移動機は、ＥＵＬ方式に従う物理制御信号をＨＳ−ＤＰＣＣＨにて多重することを止めて、ＨＳ−ＤＰＣＣＨ上ではＣＱＩのみを送信する。【００８６】  このため、ＥＵＬ方式のセルチェンジをＨＳＤＰＡ方式のセルチェンジと対とすると、ＥＵＬ方式を実装していないＲｅｌｅａｓｅ−５基地局において、ＥＵＬ方式に従う上りリンクの物理制御信号をＨＳ−ＤＰＣＣＨに多重する案を採用しても、それによってＨＳＤＰＡ方式の特性を劣化させることはなくなる。【００８７】  以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【００８８】  以上説明したように、本発明によれば、ＥＵＬ方式のセルチェンジ手順とＨＳＤＰＡ方式のセルチェンジ手順とをセットで行うことにより、セルチェンジの際の制御手順負荷及び信号量の増大を防ぎ、また、ＨＳ−ＤＰＣＣＨ上にＥＵＬ方式の物理制御信号の時間多重を可能にする移動通信システム、移動機及び制御装置を提供することができる。
【図１】
0004568724.tif 000002
【図２】
0004568724.tif 000003
【図３】
0004568724.tif 000004
【図４】
0004568724.tif 000005
【図５】
0004568724.tif 000006
【図６】
0004568724.tif 000007
【図７】
0004568724.tif 000008
【図８】
0004568724.tif 000009
【図９】
0004568724.tif 000010
【図１０】
0004568724.tif 000011